(57)【要約】    【課題】  パーソナルコンピュータにおける情報処理能力、表示画面の見易さなどの機能と同等の機能が得られるユビキタスコンピューティング環境を、携帯帯電話やＰＤＡなどの携帯端末装置を用いて実現することができる情報処理システムを提供する。    【解決手段】  携帯端末装置（携帯電話１００やＰＤＡ１２００）が、情報表示装置２００の入力装置としての接続要求を情報表示装置２００に対して行う（ステップＳ１０１）。情報表示装置２００は、接続要求に応じて携帯端末装置から識別情報を取得し、この識別情報に基づいて携帯端末装置を情報表示装置２００の入力装置として機能させるための携帯機器入力端末化アプリケーションを起動する（ステップＳ２０２）。これにより、携帯端末装置が情報表示装置２００の入力装置として機能し、この携帯端末装置から情報表示装置２００を操作することにより、この操作に応じた処理をネットワーク３００上の機器に実行させることができる。【選択図】      図４
2005184350.tif 000002
【特許請求の範囲】
【請求項１】
外部処理装置との通信機能および該外部処理装置に処理を実行させるための操作画面を表示する表示機能を少なくとも有する情報表示装置と、
前記情報表示装置に対して前記情報表示装置の入力装置として使用可能に接続される携帯端末装置とを備え、
前記情報表示装置は、前記携帯端末装置が前記情報表示装置に接続された際に、前記携帯端末装置を前記情報表示装置の入力装置として機能させるためのアプリケーションを起動する起動手段を有し、
前記情報表示装置の入力装置として機能させられた前記携帯端末装置から前記情報表示装置に表示された操作画面を操作することにより、前記外部処理装置に処理を実行させることを特徴とする情報処理システム。
【請求項２】
前記携帯端末装置は、前記情報表示装置の入力装置としての接続要求を前記情報表示装置に対して行う接続要求手段を有し、
前記情報表示装置は、前記携帯端末装置からの前記接続要求を受信すると、前記携帯端末装置から識別情報を取得する識別情報取得手段を有し、前記起動手段は、前記携帯端末装置から取得された識別情報に基づいて該携帯端末装置を前記情報表示装置の入力装置として機能させるためのアプリケーションを起動することを特徴とする請求項１記載の情報処理システム。
【請求項３】
前記識別情報は、前記携帯端末装置に割り当てられている少なくとも１つの機器固有の情報であることを特徴とする請求項２記載の情報処理システム。
【請求項４】
前記携帯端末装置は、使用者の認証用個人情報を登録する個人情報登録手段と、使用者の個人情報を入力する個人情報入力手段と、前記入力された個人情報と前記登録された認証用個人情報とに基づいて使用者が適正な使用者であるかを認証する個人認証手段とを有し、前記接続要求手段は、前記個人認証手段により使用者が適正な使用者であると認証された場合に、前記接続要求を前記情報表示装置に対して行うことを特徴とする請求項２または３記載の情報処理システム。
【請求項５】
前記携帯端末装置は、使用者の個人情報を入力する個人情報入力手段を有し、
前記情報表示装置は、予め登録されている認証用個人情報を保持する個人情報保持手段と、前記接続要求を受信すると、前記携帯端末装置から前記入力された個人情報を取得する個人情報取得手段と、前記携帯端末装置から取得された個人情報と前記登録されている認証用個人情報とに基づいて使用者が適正な使用者であるかを認証する個人認証手段とを有し、前記起動手段は、前記個人認証手段により使用者が適正な使用者であると認証された場合に、前記携帯端末装置から取得された識別情報に基づいて該携帯端末装置を前記情報表示装置の入力装置として機能させるためのアプリケーションを起動することを特徴とする請求項２または３記載の情報処理システム。
【請求項６】
前記個人情報は、少なくとも１つの使用者固有の情報であることを特徴とする請求項４または５記載の情報処理システム。
【請求項７】
前記少なくとも１つの使用者固有の情報は、バイオメトリックデータであり、前記個人情報入力手段は、前記バイオメトリックデータを入力することが可能であることを特徴とする請求項６記載の情報処理システム。
【請求項８】
前記情報表示装置は、自身が実行可能な処理の操作画面を表示し、前記情報表示装置の入力装置として機能させられた前記携帯端末装置から前記情報表示装置に表示された操作画面を操作することにより、前記情報処理装置に処理を実行させることが可能であることを特徴とする請求項１ないし７のいずれか１つに記載の情報処理システム。
【請求項９】
前記携帯端末装置の使用者に対して、前記情報表示装置への接続時間または前記情報表示装置の利用頻度に応じて課金する課金手段が設けられていることを特徴とする請求項１ないし８のいずれか１つに記載の情報処理システム。
【請求項１０】
外部処理装置との通信機能および該外部処理装置に処理を実行させるための操作画面を表示する表示機能を少なくとも有する情報表示装置であって、
携帯端末装置を通信可能に接続する接続手段と、
前記携帯端末装置が前記接続手段を介して通信可能に接続された際に、前記表示された操作画面を操作する入力装置として前記携帯端末装置を機能させるためのアプリケーションを起動する起動手段と
を有することを特徴とする情報表示装置。
【請求項１１】
外部処理装置との通信機能および該外部処理装置に処理を実行させるための操作画面を表示する表示機能を少なくとも有する情報表示装置と、前記情報表示装置に対して前記情報表示装置の入力装置として使用可能に接続される携帯端末装置とを備える情報処理方法であって、
前記情報表示装置は、前記携帯端末装置が前記情報表示装置に接続された際に、前記携帯端末装置を前記情報表示装置の入力装置として機能させるためのアプリケーションを起動する起動工程を有し、
前記情報表示装置の入力装置として機能させられた前記携帯端末装置から前記情報表示装置に表示された操作画面を操作することにより、前記外部処理装置に処理を実行させることを特徴とする情報処理方法。
【請求項１２】
前記携帯端末装置は、前記情報表示装置の入力装置としての接続要求を前記情報表示装置に対して行う接続要求工程を有し、
前記情報表示装置は、前記携帯端末装置からの前記接続要求を受信すると、前記携帯端末装置から識別情報を取得する識別情報取得工程を有し、前記起動工程では、前記携帯端末装置から取得された識別情報に基づいて該携帯端末装置を前記情報表示装置の入力装置として機能させるためのアプリケーションを起動することを特徴とする請求項１１記載の情報処理方法。
【請求項１３】
前記携帯端末装置は、使用者の個人情報を入力する個人情報入力工程を有し、
前記情報表示装置は、前記接続要求を受信すると、前記携帯端末装置から前記入力された個人情報を取得する個人情報取得工程と、前記携帯端末装置から取得された個人情報と予め登録されている認証用個人情報とに基づいて使用者が適正な使用者であるかを認証する個人認証工程とを有し、
前記起動工程では、前記個人認証工程により使用者が適正な使用者であると認証された場合に、前記携帯端末装置から取得された識別情報に基づいて該携帯端末装置を前記情報表示装置の入力装置として機能させるためのアプリケーションを起動することを特徴とする請求項１２記載の情報処理方法。
【請求項１４】
外部処理装置との通信機能および該外部処理装置に処理を実行させるための操作画面を表示する表示機能を少なくとも有する情報表示装置により実行可能なプログラムであって、
携帯端末装置を通信可能に接続するための接続モジュールと、
前記携帯端末装置が通信可能に接続された際に、前記表示された操作画面を操作する入力装置として前記携帯端末装置を機能させるためのアプリケーションを起動する起動モジュールと
を有することを特徴とするプログラム。
【請求項１５】
請求項１４記載のプログラムをコンピュータ読取可能に格納したことを特徴とする記憶媒体。
【発明の詳細な説明】
【技術分野】
【０００１】
本発明は、情報表示装置の入力装置として機能させられた携帯端末装置から情報表示装置に表示された操作画面を操作することにより、外部処理装置に処理を実行させることが可能な情報処理システム、情報表示装置、情報処理方法、プログラムおよび記憶媒体に関する。
【背景技術】
【０００２】
昨今、パーソナルコンピュータが広く普及し、また、パーソナルコンピュータの総出荷台数のうち、ノートタイプのパーソナルコンピュータが占める割合は５０％を超えている。一方、携帯電話がその多機能化によりパーソナルコンピュータを超える勢いで普及している。
【０００３】
また、ＰＤＡと呼ばれる携帯用情報処理端末の分野に、情報機器メーカまたは家電機器メーカが相次いで参入している。これは、情報を持ち歩き、またはいつでもどこでも欲しい情報を入手し、処理することができるというネットワーク情報化社会に対する社会的なインフラやそれを実現するための技術が、次第に整い始めていることによるものである。
【０００４】
また、パーソナルコンピュータの利用者のうち、初心者は、キーボード操作を難しく感じる場合が多い。そこで、より普及率が高い携帯電話をパーソナルコンピュータに接続し、この携帯電話をパーソナルコンピュータの入力装置として使用する方法が提案されている（例えば、特許文献１を参照）。この方法においては、図１４に示すように、キーボード４、マウス５などの入力装置およびモニタ６を備えるパソコン（パーソナルコンピュータ）７に対して、携帯電話１００が、データ通信用端子からパソコン７への接続ケーブル３を介して接続される。ここで、パソコン７においては、アプリケーションソフト９が起動されている。
【０００５】
携帯電話１００を入力専用装置として、文字情報をパソコン７へ入力する場合、携帯電話１００の文字入力ボタン部１の各ボタンが操作され、それにより生成された文字情報が携帯電話１００の入力文字確認画面２に表示される。使用者が入力を意図した文字であることを確認し、送信ボタンを押すと、入力された文字情報は、接続ケーブル３を介して通ってパソコン７へと送信される。送信された文字は、パソコン７上で起動されているアプリケーションソフト９に対し、パソコンの入力装置であるキーボード４から入力された文字とみなされて入力される。
【特許文献１】実用新案登録第３０７７３１５号
【発明の開示】
【発明が解決しようとする課題】
【０００６】
携帯電話やＰＤＡは、ノートタイプのパーソナルコンピュータに対して、情報処理能力と表示画面の見易さなどの点では劣るが、携帯性、連続使用時間の長さという点では優れている。よって、携帯性および連続使用時間の長さに優れた携帯電話やＰＤＡなどの携帯端末装置を用いて、パーソナルコンピュータにおける情報処理能力、表示画面の見易さなどの機能と同等の機能が得られるユビキタスコンピューティング環境を実現することが望まれている。
【０００７】
本発明の目的は、携帯電話やＰＤＡなどの携帯端末装置を用いて、パーソナルコンピュータにおける情報処理能力、表示画面の見易さなどの機能と同等の機能が得られるユビキタスコンピューティング環境を実現することができる情報処理システム、情報表示装置、情報処理方法、プログラムおよび記憶媒体を提供することにある。
【課題を解決するための手段】
【０００８】
本発明は、上記目的を達成するため、外部処理装置との通信機能および該外部処理装置に処理を実行させるための操作画面を表示する表示機能を少なくとも有する情報表示装置と、前記情報表示装置に対して前記情報表示装置の入力装置として使用可能に接続される携帯端末装置とを備え、前記情報表示装置は、前記携帯端末装置が前記情報表示装置に接続された際に、前記携帯端末装置を前記情報表示装置の入力装置として機能させるためのアプリケーションを起動する起動手段を有し、前記情報表示装置の入力装置として機能させられた前記携帯端末装置から前記情報表示装置に表示された操作画面を操作することにより、前記外部処理装置に処理を実行させることを特徴とする。
【０００９】
本発明は、上記目的を達成するため、外部処理装置との通信機能および該外部処理装置に処理を実行させるための操作画面を表示する表示機能を少なくとも有する情報表示装置であって、携帯端末装置を通信可能に接続する接続手段と、前記携帯端末装置が前記接続手段を介して通信可能に接続された際に、前記表示された操作画面を操作する入力装置として前記携帯端末装置を機能させるためのアプリケーションを起動する起動手段とを有することを特徴とする。
【００１０】
本発明は、上記目的を達成するため、外部処理装置との通信機能および該外部処理装置に処理を実行させるための操作画面を表示する表示機能を少なくとも有する情報表示装置と、前記情報表示装置に対して前記情報表示装置の入力装置として使用可能に接続される携帯端末装置とを備える情報処理方法であって、前記情報表示装置は、前記携帯端末装置が前記情報表示装置に接続された際に、前記携帯端末装置を前記情報表示装置の入力装置として機能させるためのアプリケーションを起動する起動工程を有し、前記情報表示装置の入力装置として機能させられた前記携帯端末装置から前記情報表示装置に表示された操作画面を操作することにより、前記外部処理装置に処理を実行させることを特徴とする。
【００１１】
本発明は、上記目的を達成するため、外部処理装置との通信機能および該外部処理装置に処理を実行させるための操作画面を表示する表示機能を少なくとも有する情報表示装置により実行可能なプログラムであって、携帯端末装置を通信可能に接続するための接続モジュールと、前記携帯端末装置が通信可能に接続された際に、前記表示された操作画面を操作する入力装置として前記携帯端末装置を機能させるためのアプリケーションを起動する起動モジュールとを有することを特徴とする。
【００１２】
本発明は、上記目的を達成するため、上記プログラムをコンピュータ読取可能に格納したことを特徴とする記憶媒体を提供する。
【発明の効果】
【００１３】
本発明によれば、携帯帯電話やＰＤＡなどの携帯端末装置を用いて、パーソナルコンピュータにおける情報処理能力、表示画面の見易さなどの機能と同等の機能が得られるユビキタスコンピューティング環境を実現することができる。
【発明を実施するための最良の形態】
【００１４】
以下、本発明の実施の形態について図面を参照しながら説明する。
【００１５】
（第１の実施の形態）
図１は本発明の第１の実施の形態に係る情報処理システムの構成を模式的に示す図である。
【００１６】
本実施の形態の情報処理システムは、図１に示すように、ＬＡＮ（Local Area Network）、インターネットなどのネットワーク３００を介して情報の転送が行われる。ネットワーク３００には、複数の情報表示装置２００、サーバ５００、パーソナルコンピュータ４００、携帯端末６００、記憶装置９００、事務機器１０００が、例えば広域無線手段８００を介して接続される。各情報表示装置２００は、少なくとも表示手段２０１と通信手段２０４を有し、携帯電話１００、ＰＤＡ１２００などとは、例えばBluetoothのような近距離無線通信手段７００を用いて接続可能である。また、各情報表示装置２００と携帯電話１００またはＰＤＡ１２００とは、ケーブルなどを用いた有線接続可能である。携帯電話１００、ＰＤＡ１２００は、情報表示装置２００の物理的で直接的な入力装置として利用することが可能である。すなわち、携帯電話１００またはＰＤＡ１２００は、キーボードやマウスに代わる、またはそれ以上の入力機能を有する入力装置として機能し、情報表示装置２００を操作することが可能である。
【００１７】
そして、情報表示装置２００は、携帯電話１００またはＰＤＡ１２００からの操作に応じて、広域無線手段８００を介して、ネットワーク３００上のサーバ５００、パーソナルコンピュータ４００、携帯端末６００、記憶装置９００、事務機器１０００のうち、対応する機器にアクセスし、対応する処理を実行させることが可能である。携帯電話１００またはＰＤＡ１２００からの操作に応じて実行させることが可能な処理としては、ホームページの閲覧、情報の検索、入力された情報の印刷出力、入力された情報の記憶などがあり、処理の結果などは、情報表示装置２００の表示手段２０１に表示される。このように、情報表示装置２００は、少なくとも表示機能（表示手段２０１）および通信機能（通信手段２０４）を有する装置に特化されたものである。
【００１８】
情報表示装置２００は、携帯電話１００やＰＤＡ１２００を使用するユーザが場所を選ぶことなく携帯電話１００やＰＤＡ１２００の接続先となる情報表示装置２００との接続を可能にするように、可能な限り多くの場所に設置することが好ましい。これにより、ユーザは、所持する携帯電話１００やＰＤＡ１２００の接続先となる情報表示装置２００を容易に見つけることができる。そして、ユーザは、携帯電話１００やＰＤＡ１２００を情報表示装置２００と接続するのみで、ネットワーク３００にアクセスすることができるようになり、快適な分散処理環境が実現される。また、情報表示装置２００は、少なくとも表示機能および通信機能を有する装置に特化されたものであるので、軽量薄型化と低消費電力化が可能であり、コストを掛けずに多くの場所に設置することが可能になる。
【００１９】
次に、情報表示装置２００の構成について図２および図３を参照しながら説明する。図２は図１の情報表示装置２００の外観構成を示す斜視図、図３は図１の情報表示装置の内部構成を示すブロック図である。
【００２０】
情報表示装置２００は、図２に示すように、表示手段２０１と、電源スイッチ２０２と、入力手段として登録された携帯電話１００を係止して、両手による操作を可能にするための携帯電話係止手段２０３と、通信手段２０４と、情報表示装置２００の動作状態を示す表示手段２０５とを有する。また、情報表示装置２００は、例えばタブレットタイプ、壁掛けテレビタイプのような薄型の形状を有するものとすることが好ましい。
【００２１】
また、情報表示装置２００は、図３に示すように、表示手段２０１、通信手段２０４、携帯機器入力端末化アプリケーション２０６、接続許可手段２０７、携帯端末装置／使用者登録手段２０８、情報処理演算手段２０９および記憶手段２１０を有する。ここで、情報表示装置２００は、全ての情報処理をネットワーク３００上の機器に依頼するような構成することが好ますしい。この場合、情報表示装置２００の構成は、図中の破線２１１で囲まれた構成となり、構成の簡素化を図ることができる。これに対し、情報表示装置２００自身が所定の情報処理を行う機能を有し、情報表示装置２００自身で処理することができない処理のみをネットワーク３００上の機器に依頼するような構成にする場合、情報表示装置２００の構成は、実線２１２で囲まれた構成とすることができる。
【００２２】
次に、携帯電話１００、ＰＤＡ１２００と情報表示装置２００との接続方法について図４を参照しながら説明する。図４は携帯電話１００、ＰＤＡ１２００と情報表示装置２００との接続手順を示すフローチャートである。ここでの説明においては、携帯電話１００、ＰＤＡ１２００を総称して携帯端末装置ということにする。
【００２３】
携帯端末装置（携帯電話１００、ＰＤＡ１２００）を情報表示装置２００と無線または有線により接続する際には、図４に示すように、携帯端末装置から、入力装置としての接続要求が情報表示装置２００に送信される（ステップＳ１０１）。情報表示装置２００は、上記接続要求を受信すると、携帯端末装置に対して携帯端末装置のＩＤ情報およびプロパティ情報の送信を要求する（ステップＳ２０１）。携帯端末装置は、携帯端末装置のＩＤ情報およびプロパティ情報の送信要求を受信すると、電話番号などのＩＤ情報および機種、製造ナンバーなどのプロパティ情報を情報表示装置２００に対して送信する（ステップＳ１０２）。情報表示装置２００は、上記ＩＤ情報およびプロパティ情報を受信すると、受信した上記ＩＤ情報およびプロパティ情報を用いて携帯端末装置を情報表示装置２００の入力装置として携帯端末装置／使用者登録手段２０８に登録するとともに、登録された携帯端末装置の通信アルゴリズムに対応する携帯機器入力端末化アプリケーション２０６を起動する（ステップＳ２０２）。
【００２４】
これにより、携帯端末装置は、情報表示装置２００の入力装置として機能させられ、この携帯端末装置から情報表示装置２００に表示された操作画面を操作することが可能になる。例えば、携帯端末装置２００から情報表示装置２００に表示されたメニュー画面を操作すれば、ネットワーク３００上の所望の処理を行う機器が選択され、この選択された機器に処理を実行させることができる。
【００２５】
このように、本実施の形態によれば、モバイルコンピューティング環境において、携帯端末装置（携帯電話１００やＰＤＡ１２００）を、いたるところに遍在する少なくとも通信機能および情報表示機能を有する情報表示装置２００の物理的で直接的な入力装置として使用することにより、効率的でコストパフォーマンスに優れた快適な分散処理環境を実現することができる。
【００２６】
また、携帯端末装置を情報表示装置２００の入力装置として使用する際に、情報表示装置２００上で携帯端末装置に対応する携帯機器入力端末化アプリケーション２０６が起動されるので、各種の携帯端末装置が情報表示装置２００の入力装置として使用可能となり、非常に高い汎用性を得ることができる。
【００２７】
そして、このような情報表示装置２００をインターネットカフェや、電車や航空機の座席、駅や空港、店舗、博物館などに設置することによって、ユーザが所持する携帯端末装置から所望の情報へのアクセスを容易に行うことができる。また、携帯端末装置はユーザが常時使用しているものであるので、入力装置として高い操作性を得ることができる。よって、個人が所持する携帯端末装置を利用可能なユビキタスコンピューティング環境を構築することができる。
【００２８】
（第２の実施の形態）
次に、本発明の第２の実施の形態について図５および図６を参照しながら説明する。図５は本発明の第２の実施の形態に係る情報処理システムに用いられる携帯端末装置のユーザ認証機能の構成を示すブロック図、図６は本発明の第２の実施の形態に係る情報処理システムにおける携帯端末装置（携帯電話１００、ＰＤＡ１２００）と情報表示装置２００との接続手順を示すフローチャートである。ここでの説明においては、携帯電話１００、ＰＤＡ１２００を総称して携帯端末装置ということにする。
【００２９】
本実施の形態は、上記第１の実施の形態に対し、ネットワーク上での情報操作におけるセキュリティーを保証するために、認証を行う点で異なる。具体的には、携帯端末装置を情報表示装置２００と接続する前に、まず携帯端末装置において、携帯端末装置を入力装置として利用するために、まずユーザのＩＤ情報（例えばパスワードなど）とバイオメトリックデータを用いたユーザの個人認証が行われる。なお、本実施の形態のシステム構成は、上記第１の実施の形態と同じ構成を有し、その説明は省略する。
【００３０】
まず、ユーザのＩＤ情報およびバイオメトリックデータを用いたユーザ認証を行うことが可能な携帯端末装置の構成について説明する。
【００３１】
本実施の形態の携帯端末装置は、ユーザのＩＤ情報およびバイオメトリックデータを用いたユーザ認証を行うことが可能であり、このユーザ認証機能は、図５に示すように、ＩＤ／バイオメトリック入力手段１１５、ＩＤ／バイオメトリックデータ記憶手段１１６、ＩＤ／バイオメトリックデータ比較手段１１７および通信可否判断／御手段１１８により実現される。ここで、ＩＤ／バイオメトリック入力手段１１５には、ユーザのＩＤ情報を入力する手段と、筆跡や指紋、声紋、顔画像や手相画像、虹彩画像、体の一部の動きを捕らえた動画像などの少なくとも１つをバイオメトリックデータとして入力する少なくとも１つの手段とが含まれる。ＩＤ／バイオメトリック入力手段１１５の詳細およびそれを用いた入力方法については、第４の実施の形態において述べることとする。
【００３２】
まずユーザがユーザのＩＤ情報とバイオメトリックデータを携帯端末装置に新規に登録する必要がある。この新規登録の場合、ユーザのＩＤ情報およびバイオメトリックデータが、それぞれＩＤ／バイオメトリック入力手段１１５の対応する手段から入力され、入力されたユーザのＩＤ情報およびバイオメトリックデータは、ＩＤ／バイオメトリックデータ記憶手段１１６に記憶される。
【００３３】
ユーザの認証を行う場合、ユーザのＩＤ情報およびバイオメトリックデータがそれぞれＩＤ／バイオメトリック入力手段１１５の対応する手段から入力され、入力されたユーザのＩＤ情報およびバイオメトリックデータは、ＩＤ／バイオメトリックデータ比較手段１１７により、ＩＤ／バイオメトリックデータ記憶手段１１６に記憶されているユーザのＩＤ情報およびバイオメトリックデータと比較される。
【００３４】
ＩＤ／バイオメトリックデータ比較手段１１７による比較結果は、通信可否判断／制御手段１１８に入力される。通信可否判断／制御手段１１８は、上記比較結果に基づいてユーザのＩＤ情報およびバイオメトリックデータのそれぞれが一致しないと判断した場合は、携帯端末装置を入力装置として使用することを禁止にする。これに対し、上記比較結果に基づいてユーザのＩＤ情報およびバイオメトリックデータのそれぞれが一致したと判断された場合は、携帯端末装置を入力装置として使用することが許可される。これにより、携帯端末装置を入力装置として使用することに対するセキュリティが、パスワードによる個人認証より高くなる。
【００３５】
本実施の形態において、携帯端末装置（携帯電話１００、ＰＤＡ１２００）を情報表示装置２００に接続する際には、図６に示すように、まず携帯端末装置を入力装置として利用するためにユーザの個人認証を行う。すなわち、ユーザは、ユーザのＩＤ情報とバイオメトリックデータ（例えば、筆跡や指紋、声紋、顔画像や手相画像、虹彩画像、体の一部の動きを捕らえた動画像など）を携帯端末装置に入力する（ステップＳ１１１）。携帯端末装置においては、ＩＤ／バイオメトリックデータ比較手段１１７により、携帯端末装置に予め記憶されているユーザのＩＤ情報およびバイオメトリックデータと、新たに入力されたユーザのＩＤ情報およびバイオメトリックデータとが比較される。そして、通信可否判断／制御手段１１８は、上記ＩＤ／バイオメトリックデータ比較手段１１７による比較結果に基づいて両者が一致しないと判断した場合、ユーザに対して携帯端末装置を入力装置として使用することを禁止する（ステップＳ１１２）。
【００３６】
これに対し、通信可否判断／制御手段１１８が上記ＩＤ／バイオメトリックデータ比較手段１１７による比較結果に基づいて両者が一致する判断した場合、ユーザに対して携帯端末装置を入力装置として使用することを許可する（ステップＳ１１２）。そして、携帯端末装置は、情報表示装置２００に対して入力装置としての接続要求を出す（ステップＳ１１３）。
【００３７】
情報表示装置２００は、上記接続要求を受信すると、携帯端末装置に対して、携帯端末装置のＩＤ情報およびプロパティ情報の送信を要求する（ステップＳ２１１）。携帯端末装置は、上記ＩＤ情報およびプロパティ情報の送信要求を受信すると、電話番号などのＩＤ情報および機種、製造ナンバーなどのプロパティ情報を、情報表示装置２００に送信する（ステップＳ１１４）。
【００３８】
情報表示装置２００が携帯端末装置からのＩＤ情報およびプロパティ情報を受信すると、接続許可手段２０７（図３）は、受信したＩＤ情報およびプロパティ情報と、接続可能であるとして予め登録されているＩＤ情報およびプロパティ情報とを比較し、両者が一致した場合、携帯端末装置への接続すなわちログインを許可する（ステップＳ２１２）。そして、情報表示装置２００は、ＩＤ情報およびプロパティ情報を用いて携帯端末装置を情報表示装置２００の入力装置として携帯端末装置／使用者登録手段２０８に登録するとともに、入力装置として登録された携帯端末装置の通信アルゴリズムに対応する携帯機器入力端末化アプリケーション２０６（図３）を起動する（ステップＳ２１３）。
【００３９】
このように、本実施の形態によれば、セキュリティーが必要な社内ＬＡＮやサテライトオフィスなどのローカルネットワークに最適な情報処理システムを提供することができる。
【００４０】
（第３の実施の形態）
次に、本発明の第３の実施の形態について図７を参照しながら説明する。図７は本発明の第３の実施の形態に係る情報処理システムにおける携帯端末装置（携帯電話１００、ＰＤＡ１２００）と情報表示装置２００との接続手順を示すフローチャートである。ここでの説明においては、携帯電話１００、ＰＤＡ１２００を総称して携帯端末装置ということにする。
【００４１】
本実施の形態は、上記第２の実施の形態に対し、ネットワーク上での情報操作におけるセキュリティーを保証するために、認証を行う点では同じであるが、情報表示装置２００において、ユーザのＩＤ情報およびバイオメトリックデータを用いた認証を行う点で異なる。すなわち、携帯端末装置上での個人認証を廃止して情報表示装置２００が個人認証を行う。具体的には、上記第２の実施の形態においては、ユーザは自身のＩＤ情報とバイオメトリックデータが記録されている特定の携帯端末装置から情報表示装置２００にログインする必要がある。これに対し、本実施の形態においては、携帯端末装置上でユーザのＩＤ情報およびバイオメトリックデータが入力され、情報表示装置２００において、携帯端末装置から入力されたユーザのＩＤ情報およびバイオメトリックデータに基づいて個人認証が行われる。これにより、任意の携帯端末装置から情報表示装置２００に対してログインが可能になり、かつネットワークのセキュリティーを保証することが可能になる。なお、本実施の形態のシステム構成は、上記第１の実施の形態と同じ構成を有し、その説明は省略する。
【００４２】
携帯端末装置（携帯電話１００、ＰＤＡ１２００）を情報表示装置２００に接続する際には、図７に示すように、まず携帯端末装置が入力装置としての接続要求を情報処理装置２００に対して出す（ステップＳ１２１）。情報表示装置２００は、上記接続要求を受信すると、携帯端末装置に対して携帯端末装置のＩＤ情報およびプロパティ情報とユーザのＩＤ情報およびバイオメトリックデータとの送信を要求する（ステップＳ２２１）。この情報表示装置２００からの要求に応答して、携帯端末装置においては、ユーザのＩＤ情報およびバイオメトリックデータが入力され、この入力されたユーザのＩＤ情報およびバイオメトリックデータとともに電話番号などのＩＤ情報および機種、製造ナンバーなどのプロパティ情報が情報処理装置２００に対して送信される（ステップＳ１２２）。
【００４３】
情報表示装置２００は、携帯端末装置からユーザのＩＤ情報およびバイオメトリックデータとＩＤ情報およびプロパティ情報を受信すると、受信したユーザのＩＤ情報およびバイオメトリックデータに一致するユーザのＩＤ情報およびバイオメトリックデータがデータベース（図示せず）にあるか否かに応じて当該ユーザが携帯端末装置を用いて情報表示装置２００を操作することを許可するか否かを判定する（ステップＳ２２２）。ここで、情報表示装置２００は、受信したユーザのＩＤ情報およびバイオメトリックデータに一致するユーザのＩＤ情報およびバイオメトリックデータがデータベースにあれば、ユーザが携帯端末装置を用いて情報表示装置２００を操作することを許可する。そして、情報表示装置２００は、少なくとも使用者に関する情報を携帯端末装置／使用者登録手段２０８に登録し、携帯端末装置のＩＤ情報およびプロパティ情報に基づいて携帯端末装置の通信アルゴリズムに対応する携帯機器入力端末化アプリケーション２０６を起動する（ステップＳ２２３）。
【００４４】
このように、本実施の形態によれば、ユーザは任意の携帯端末装置から情報表示装置２００を介してネットワーク３００にアクセスすることが可能になる。
【００４５】
（第４の実施の形態）
次に、本発明の第４の実施の形態について図８〜図１２を参照しながら説明する。図８は携帯電話１００を情報表示装置２００に対する手書き入力装置として使用する場合の例を模式的に示す図、図９は携帯電話１００を情報表示装置２００に対する座標入力装置として使用する場合の例を模式的に示す図、図１０は携帯電話１００においてバイオメトリックデータとしての指紋を入力する場合の例を模式的に示す図、図１１は携帯電話１００においてバイオメトリックデータとしての音声を入力する場合の例を模式的に示す図、図１２は携帯電話１００においてバイオメトリックデータとしての画像を入力する場合の例を模式的に示す図である。
【００４６】
本実施の形態においては、携帯端末装置が情報表示装置２００に対する入力装置として使用される場合の携帯端末装置の使用方法について説明する。ここでは、携帯端末装置が携帯電話１００である場合を説明する。
【００４７】
携帯電話１００は、図８に示すように、座標入力手段を構成するためのタッチパネル（図示せず）が貼り付けられている表示手段１０１と、二次元操作手段１０２と、操作ボタン１０３，１０４と、テンキー群１０５と、アンテナ１０６と、携帯電話本体の裏側に設けられている小型カメラ１０８（破線で示す）と、スピーカ１０９と、マイク１１０とを有する。上記座標入力手段は、静電容量方式、抵抗値方式、磁気誘導方式、光学式などのいくつかの既存の方式を用いて実現される。アンテナ１０６は携帯電話１００の所定位置に分離可能に装着されており、所定位置から取り外されて上記座標入力手段に対する筆記用具として使用可能である。
【００４８】
アンテナ１０６を用いて座標入力手段１０１上に文字が書かれると、その書かれた筆跡が文字１１１として表示手段１０１に表示される。この文字１１１は、入力情報として情報表示装置２００に送信される。表示手段１０１の画面下部には、現在設定されているモードが表示される。本画面例においては、手書き入力モードが設定されているので、「手書き」と表示されている。また、この手書き情報（例えば文字１１１）を、ユーザのバイオメトリックデータとして利用することも可能である。
【００４９】
また、二次元操作手段１０２および操作ボタン１０３，１０４を、マウス５の機能を代用するものとして使用することができる。すなわち、二次元操作手段１０２および操作ボタン１０３，１０４を操作することによって、情報表示装置２００の表示手段２０１に表示されるポインタの操作、画面スクロール、メニュー表示、ジョブの選択、実行、操作を行うことができる。
【００５０】
また、テンキー群１０５は、携帯電話１００の通常使用時と同様に、テキスト入力や入力モード変換、電源のオン／オフなどの操作に用いることができる。
【００５１】
また、マイク１１０による音声入力と小型カメラ１０８による画像入力が可能である。
【００５２】
このように、携帯電話１００の各種手段を用いて入力された情報は、例えば赤外線通信のような光通信手段７０１を介して情報表示装置２００に送信される。
【００５３】
例えば、携帯電話１００を、情報端末２００の表示手段２０１に表示されるポインタを操作するための座標入力装置として使用する場合、図９に示すように、筆記具として取り外されたアンテナ１０６で表示手段２０１の所望の画面位置を押下するなどの操作により、情報端末２００の表示手段２０１に表示されているポインタを所望の位置に移動させることが可能になる。また、二次元操作手段１０２または操作ボタン１０３，１０４を操作することにより、情報端末２００の表示手段２０１の画面のスクロール操作を行うことができる。また、テンキー群１０５から座標値を入力することにより、情報端末２００の表示手段２０１に表示されているポインタを入力された座標値に対応する位置に移動させることができる。
【００５４】
携帯電話１００においては、バイオメトリックデータとしての指紋を入力することも可能である。この場合、図１０に示すように、ユーザの指紋を入力するためのエリア１１２が表示手段１０１に表示される。このエリアは、指紋のような精細な模様が検出可能なように、解像度と感度が通常より高くされた領域である。また、本例においては、携帯電話１００と情報表示装置２００との通信手段として、通信ケーブル７０２が用いられている。
【００５５】
また、携帯電話１００においては、バイオメトリックデータとしての音声情報を入力することも可能である。この場合、図１１に示すように、マイク１１０から音声が入力され、この入力された音声は、音声情報として情報表示装置２００に送信される。本例においては、携帯電話１００と情報表示装置２００との通信手段として、Bluetoothなどの無線手段７０３が用いられている。
【００５６】
ここで、音声信号を入力する際には、表示手段１０１には、入力した音量が適切であるか否かを示すために、音量に応じた棒グラフ１１９が表示される。これにより、ユーザは入力された音声の音量が適切であるか否かを判断することができる。また、音質が明瞭か否かを示すために、表示手段１０１には、入力された音声信号に対応する擬似的な音声波形が表示され、これにより、ユーザは入力された音声の音質が明瞭であるか否かを判断することができる。
【００５７】
また、携帯電話１００においては、バイオメトリックデータとしての画像情報を入力することも可能である。この場合、図１２に示すように、小型カメラ１０８により画像（顔画像、手相画像、虹彩画像、体の一部の動きの特徴をとらえた動画像などの画像）が撮像され、この撮像された画像情報は、画像１１４として表示手段１０１に補助的に表示された後、情報表示装置２００に送信される。
【００５８】
このように、携帯電話１００において入力されたバイオメトリックデータ（指紋、音声、顔画像、手相画像、虹彩画像、体の一部の動きの特徴を捕らえた動画像などの画像情報）を情報表示装置２００に対する入力データとして使用可能であるとともに、個人認証に用いられるバイオメトリックデータとしても使用可能である。
【００５９】
携帯端末装置の一例である携帯電話１００を表示処理装置２００の入力装置として使用する場合を説明したが、ＰＤＡ１２００も、携帯電話１００と同じように、表示処理装置２００の入力装置として使用することが可能であることはいうまでもない。
【００６０】
（第５の実施の形態）
次に、本発明の第５の実施の形態について図１３を参照しながら説明する。図１３は本発明の第５の実施の形態に係る情報処理システムにおけるシステム利用者への課金額とシステムの接続時間または利用頻度との関係を表すグラフを示す図である。
【００６１】
本実施の形態は、図１２に示すように、システム利用者に対してその携帯端末装置から情報表示装置２００への接続時間または利用頻度に応じて課金する構成を採用する。この課金する手段は、例えば情報表示装置２００の携帯端末装置／使用者登録手段２０８に登録された情報に対応付けて接続時間または利用頻度を累積して管理し、月単位などの所定時間単位での合計接続時間または合計利用頻度を定期的にネットワーク上の課金管理サーバへ送出するように構成することができる。課金サーバは、上記合計接続時間または合計利用頻度に基づいて使用者に対して課金を行う。
【００６２】
このような課金構成は、上記各実施の形態の情報処理システムに適用することが可能であり、これにより、携帯端末装置を入力手段として情報表示装置を操作する情報処理システムをビジネスとして展開することが可能になる。この場合、システム利用者は携帯電話やＰＤＡなどの携帯端末装置のみを所有すればよい。また、情報表示装置２００を社会的なインフラストラクチャーとして至るところに設置することが望ましいことは、いうまでもない。
【図面の簡単な説明】
【００６３】
【図１】本発明の第１の実施の形態に係る情報処理システムの構成を模式的に示す図である。
【図２】図１の情報表示装置２００の外観構成を示す斜視図である。
【図３】図１の情報表示装置の内部構成を示すブロック図である。
【図４】携帯電話１００、ＰＤＡ１２００と情報表示装置２００との接続手順を示すフローチャートである。
【図５】本発明の第２の実施の形態に係る情報処理システムに用いられる携帯端末装置のユーザ認証機能の構成を示すブロック図である。
【図６】本発明の第２の実施の形態に係る情報処理システムにおける携帯端末装置（携帯電話１００、ＰＤＡ１２００）と情報表示装置２００との接続手順を示すフローチャートである。
【図７】本発明の第３の実施の形態に係る情報処理システムにおける携帯端末装置（携帯電話１００、ＰＤＡ１２００）と情報表示装置２００との接続手順を示すフローチャートである。
【図８】携帯電話１００を情報表示装置２００に対する手書き入力装置として使用する場合の例を模式的に示す図である。
【図９】携帯電話１００を情報表示装置２００に対する座標入力装置として使用する場合の例を模式的に示す図である。
【図１０】携帯電話１００においてバイオメトリックデータとしての指紋を入力する場合の例を模式的に示す図である。
【図１１】携帯電話１００においてバイオメトリックデータとしての音声を入力する場合の例を模式的に示す図である。
【図１２】携帯電話１００においてバイオメトリックデータとしての画像を入力する場合の例を模式的に示す図である。
【図１３】本発明の第５の実施の形態に係る情報処理システムにおけるシステム利用者への課金額とシステムの接続時間または利用頻度との関係を表すグラフを示す図である。
【図１４】従来の情報端末装置に接続された携帯端末装置を入力専用装置として使用する方法を説明するための図である。
【符号の説明】
【００６４】
１００  携帯電話
１０１  表示手段
１０２  二次元操作手段
１０３，１０４  操作ボタン
１０５  テンキー群
１０６  アンテナ
１０８  小型カメラ
１１０  マイク
２００  情報表示装置
２０１  表示手段
２０４  通信手段
２０６  携帯端末入力端末化アプリケーション
３００  ネットワーク
４００  パーソナルコンピュータ
５００  サーバ
７００  近距離無線通信手段
８００  広域無線手段
９００  記憶装置
１０００  事務機器
【図１】
2005184350.tif 000003
【図２】
2005184350.tif 000004
【図３】
2005184350.tif 000005
【図４】
2005184350.tif 000006
【図５】
2005184350.tif 000007
【図６】
2005184350.tif 000008
【図７】
2005184350.tif 000009
【図８】
2005184350.tif 000010
【図９】
2005184350.tif 000011
【図１０】
2005184350.tif 000012
【図１１】
2005184350.tif 000013
【図１２】
2005184350.tif 000014
【図１３】
2005184350.tif 000015
【図１４】
2005184350.tif 000016